(57)【要約】【課題】  電源部の配置位置を工夫することにより装置の小型化を可能にした画像読取装置を提供する。【解決手段】  ボタンやＬＣＤ等のユーザ操作を受け付けるユーザインタフェース部１０１の下部のデッドスペース（電源部１０２）に電源を配置するとともに、電源スイッチをユーザインタフェース部１０１に設置し、さらに処理を行う装置の構成要素をユニット化し、電源部１０２と電源コードから発生するノイズを遮断する金属板を設ける。【選択図】  図１
2006013925.tif 000002
【特許請求の範囲】
【請求項１】
ユーザからの操作入力を受け付けるユーザインタフェース部と、
前記ユーザインタフェース部からの操作入力に基づき文書の画像を光学的に読み取る読取部と、
前記読取部で読み取った画像の処理を行う画像処理部が搭載された画像処理基板と、
電源スイッチと、
前記電源スイッチのオン操作により各部に電源を供給する電源部と
を有する画像読取装置において、
前記電源部を前記ユーザインタフェース部の下部のスペースに配置した
ことを特徴とする画像読取装置。
【請求項２】
前記電源部に前記電源スイッチを介して交流電源を引き込む交流ケーブルを画像読取装置本体の前記ユーザインタフェース部を正面に見て右側若しくは左側の端に配置した
ことを特徴とする請求項１記載の画像読取装置。
【請求項３】
前記電源スイッチを前記ユーザインタフェース部に対して前記交流ケーブルの配置側に設けた
ことを特徴とする請求項２記載の画像読取装置。
【請求項４】
前記電源部が搭載される電源基板は、側部に前記電源スイッチと接続するコネクタを有し、前記交流ケーブルの配置位置に応じて前記電源基板を反転して配置する
ことを特徴とする請求項３記載の画像読取装置。
【請求項５】
前記ユーザインタフェース部と前記電源部との間に遮蔽板を設けた
ことを特徴とする請求項１乃至４のいずれかに記載の画像読取装置。
【請求項６】
前記電源基板と前記画像処理基板とを１つのコネクタで接続する
ことを特徴とする請求項１乃至５のいずれかに記載の画像読取装置。
【請求項７】
前記電源部に少なくとも一部が画像読取装置本体に密着したヒートシンクを設けた
ことを特徴とする請求項１乃至６のいずれかに記載の画像読取装置。
【発明の詳細な説明】
【技術分野】
【０００１】
本発明は、印刷された文書等を読み取る画像読取装置に関し、特に、電源部の配置位置を工夫することにより装置の小型化を可能にした画像読取装置に関する。
【背景技術】
【０００２】
一般に、印刷された文書等の内容を読み取る読取装置の電源スイッチの位置は、読取の制御を行う本体に内蔵されることが多く、そのため多くの場合において操作ボタンやＬＣＤ等のユーザインタフェースに対して後方に配置されることが多い。
【０００３】
また、従来の電源スイッチの配置位置では、電源コードを制御本体内部で引き回すか、または前方からメカアーム等で電源スイッチを操作する構造としなければならなかった。
【０００４】
そのため、引き回しが行われた電源コードから発生する電波（以下、ノイズという）により制御基板を誤動作させることが多く見受けられるという問題があった。
【０００５】
さらに、電源コードの引き回しからモータ・ギア等の可動部との接触の保護、金属エッジからの保護を実現するには、またメカアームによる電源スイッチの操作等を実現するためには装置の内部構造が複雑になり、部品数も増加することから装置が高価になってしまい、トラブルが起こりやすくなるという問題もある。
【０００６】
そこで、ファンの上流側に配置された電源ユニットとコントローラボードとを仕切るステイを設けるとともに、該ステイと前記電源ユニットの外装板金との組み合わせによって電源ユニットを筒状の板金で覆うことにより熱とノイズを低減することを可能にした従来技術として特許文献１に開示されたものがある。
【０００７】
また、特許文献１に開示された技術においては、筒状の板金によって冷却空気の流路が形成されて冷却効果を高めることをも可能としている。
【特許文献１】特開平１０−１０５０２７
【発明の開示】
【発明が解決しようとする課題】
【０００８】
しかしながら、特許文献１に示された従来技術においては、電源ユニットとコントローラボードとを仕切るステイを設けており、さらには、電源ユニットを筒状の板金によって覆いかぶせているため装置自体に余計な空間が生まれて装置としては大きくなってしまうという問題がある。
【０００９】
そこで、本発明は、電源部の配置位置を工夫することにより装置の小型化を可能にした画像読取装置を提供することを目的とする。
【課題を解決するための手段】
【００１０】
上記目的を達成するため、請求項１の発明は、ユーザからの操作入力を受け付けるユーザインタフェース部と、前記ユーザインタフェース部からの操作入力に基づき文書の画像を光学的に読み取る読取部と、前記読取部で読み取った画像の処理を行う画像処理部が搭載された画像処理基板と、電源スイッチと、前記電源スイッチのオン操作により各部に電源を供給する電源部とを有する画像読取装置において、前記電源部を前記ユーザインタフェース部の下部のスペースに配置したことを特徴とする。
【００１１】
また、請求項２の発明は、請求項１の発明において、前記電源部に前記電源スイッチを介して交流電源を引き込む交流ケーブルを画像読取装置本体の前記ユーザインタフェース部を正面に見て右側若しくは左側の端に配置したことを特徴とする。
【００１２】
また、請求項３の発明は、請求項２の発明において、前記電源スイッチを前記ユーザインタフェース部に対して前記交流ケーブルの配置側に設けたことを特徴とする。
【００１３】
また、請求項４の発明は、請求項３の発明において、前記電源部が搭載される電源基板は、側部に前記電源スイッチと接続するコネクタを有し、前記交流ケーブルの配置位置に応じて前記電源基板を反転して配置することを特徴とする。
【００１４】
また、請求項５の発明は、請求項１乃至４の発明のいずれかにおいて、前記ユーザインタフェース部と前記電源部との間に遮蔽板を設けたことを特徴とする。
【００１５】
また、請求項６の発明は、請求項１乃至５の発明のいずれかにおいて、前記電源基板と前記画像処理基板とを１つのコネクタで接続することを特徴とする。
【００１６】
また、請求項７の発明は、請求項１乃至６の発明のいずれかにおいて、前記電源部に少なくとも一部が画像読取装置本体に密着したヒートシンクを設けたことを特徴とする。
【発明の効果】
【００１７】
本発明によれば、電源部をユーザインタフェース部の下部のスペースに配置するように構成したので、装置の小型化が可能になり、また、電源スイッチを前面のユーザインタフェースに配置することによる電源コードの制御本体内部での引き回しが必要がなくなるためメンテナンス性が向上する。
【００１８】
さらに、電源コードとユーザインタフェース部、電源ケーブルと制御本体との境界それぞれに金属板（板金）を設けて各構成要素をユニット化した構成にしたので、電源ケーブルと電源本体からのノイズを遮蔽でき、誤動作を防止することができるという効果を奏する。
【発明を実施するための最良の形態】
【００１９】
以下、本発明に係わる画像読取装置の一実施例を添付図面を参照して詳細に説明する。
【００２０】
なお、本願発明の画像読取装置は、スキャナ・ＦＡＸ・複合機などの読取装置を搭載した装置に適用可能であるが、以下に示す実施例においては、スキャナを例にして説明する。
【実施例】
【００２１】
図１は、この発明に係わる画像読取装置１００の外観を示す図である。
【００２２】
図１において、画像読取装置１００は、Ｕ／Ｉ（ユーザインタフェース）部１０１、電源部１０２、ＡＤＦ（Automatic Document Feeder）部１０３、制御本体部１０４、電源スイッチ１０５を具備して構成される。
【００２３】
Ｕ／Ｉ部１０１は、自動読取装置に処理を行わせるためにユーザによる操作を行う操作ボタンや操作内容を表示するＬＣＤ（Liquid Crystal Display）等のユーザとのインタフェースを配置したものである。
【００２４】
すなわち、画像読取装置１００で印刷文書の読み取り処理を行うにあたり、装置の前面に電源スイッチ１０５等を配置することにより、ユーザの操作性の向上を図るものである。ユーザは電源スイッチ１０５を押下して装置の処理を行う部分に電源供給を行わせた後に処理を指定する。
【００２５】
電源部１０２は、Ｕ／Ｉ部１０１に配置された電源スイッチ１０５を押下することにより電源ＯＮの状態（以下、通電状態という）になって電源供給を行うものであり、Ｕ／Ｉ部１０１の下部に配置する。これにより、Ｕ／Ｉ部１０１に電源スイッチ１０５を配置することが容易になり、装置の操作性が向上する。
【００２６】
ＡＤＦ部１０３は、印刷文書の読み取りを行うハードウェア部分であってＡＤＦ部１０３の上部に印刷文書を載せる面があり、その面に載せた印刷文書に対してＵ／Ｉ部１０１からの入力操作を受け付けて光学読み取り機器によって読み取るものである。
【００２７】
制御本体部１０４は、ＡＤＦ部１０３の光学読み取り機器によってハードウェア的に読み取った上記文書をソフトウェア的に読み取りを行い、読み取った文書の解析、制御を行うものである。
【００２８】
例えば、ＡＤＦ部１０３でハードウェア的に読み取ったデータの電子化を行い、ファイルとして保存することにより再利用を可能にしたり、電子データとして配布したりすることができる。
【００２９】
電源スイッチ１０５は、上記電源部１０２、ＡＤＦ部１０３、制御本体部１０４を動作させるための電源入力をユーザによって行うＵ／Ｉ部１０１に配置されたユーザインタフェースである。
【００３０】
ここで、Ｕ／Ｉ部１０１はユーザによる操作を受け付ける部分であるためユーザを正面に見て、手前上部に配置し、Ｕ／Ｉ部１０１の下部のデッドスペースに電源部１０２を配置する。これによりＵ／Ｉ部１０１に電源スイッチの配置が容易に行えるようになる。また、ＡＤＦ部１０３を上記文書を載せるためにユーザを正面に見て後方上部に配置し、ＡＤＦ部１０３の下部に制御を行う制御本体部１０４を配置する。
【００３１】
このような配置構成すると、Ｕ／Ｉ部１０１の近傍に電源部１０２を配置することにより電源スイッチ１０５を設けることが容易になり、従来のデッドスペースに電源部１０２を配置できるため装置の小型化が実現でき、ユーザによる操作性の向上が図れる。
【００３２】
図２は、この発明に係わる画像読取装置全体を真横から見た場合の構成図である。
【００３３】
図２において、図１のＵ／Ｉ（ユーザインタフェース）部１０１には操作ボタン・表示装置の制御基板２０１が配置され、電源部１０２には電源基板２０２と電源ヒートシンク２０３が配置され、ＡＤＦ部１０３には紙送り制御基板２０４が配置され、制御本体部１０４には光学読取ユニット２０５と光学読取制御基板２０６と画像処理基板２０７が配置されている。さらに、Ｕ／Ｉ部１０１と電源部１０２との境に電波の伝導を防止するために電源Ｕ／Ｉ遮蔽板金２０８が設置され、電源ヒートシンク２０３と制御本体１０４の制御基盤コネクタ２０９を電源コネクタ２１０により接続している。
【００３４】
図３は、この発明に係わる画像読取装置の電源コード等を左側に配置して真上から見た場合の構成要素を示す図である。
【００３５】
図３には、図１におけるＡＤＦ部１０３と制御本体部１０４を示す制御ユニット３０１、Ｕ／Ｉ部１０１と電源部１０２を示すＵ／Ｉユニット３０２、画像処理基板３０３、金属板（板金）３０４、画像処理インタフェース３０５、基板郡３０６、電源スイッチ３０７、インレット３０８、電源コネクタコード３０９、アースコネクタコード３１０、電源コード３１１、接続コネクタ３１２、インレットコード３１３を具備して構成される。
【００３６】
画像処理基板３０３は、図１のＡＤＦ部１０３で読み取った文書データをソフトウェア的に解析する基板である。
【００３７】
金属板３０４は、電源コード３１１から発生するノイズを画像処理基板３０３へと伝わるのを防止するために画像処理基板３０３全体を覆い被せるものである。すなわち、画像処理基板３０３を箱状に囲ってしまうものである。
【００３８】
画像処理インタフェース３０５は、画像処理基板３０３とのデータ入出力を行うブリッジとなるものである。画像処理基板３０３全体を覆っている金属板３０４に設けられたコネクタである。
【００３９】
基板郡３０６は、図１に示すＵ／Ｉ部１０１と電源部１０２に設けられている操作ボタン・表示器の制御基板／電源基板を表すものである。操作ボタン・表示器の制御基板によりユーザからの操作命令を解析し、操作命令に応じた操作を行うように各部（電源部１０２、ＡＤＦ部１０３、制御本体部１０４）に指示を送出する。
【００４０】
また、電源基板は電源入出力操作により電源供給を行う基板である。
【００４１】
電源スイッチ３０７は、Ｕ／Ｉ部１０１上に配置され、ユーザからの電源ＯＮＯＦＦを受け付けるスイッチである。
【００４２】
インレット３０８は、電源スイッチ３０７と電源コード３１１の接続コネクタである。
【００４３】
電源コネクタコード３０９は、Ｕ／Ｉ部１０１に設けられた電源スイッチ３０７と電源部１０２とを結ぶコードである。これによりユーザが電源スイッチ３０７を介して電源入力を行ったことを認識して通電状態になる。
【００４４】
アースコネクタコード３１０は、電源ヒートシンク２０３をアースとしてインレット３０８と接続するものである。
【００４５】
電源ヒートシンク２０３は、電源基板２０２のアースと接続されている。一方電源ヒートシンク２０３は制御本体部１０４と接合され、制御本体部１０４と金属板金３０４が接合されている。また電源ヒートシンク２０３は、電源Ｕ／Ｉ遮蔽板金２０８とも接合されて、各々アースされている。
【００４６】
電源コード３１１は、電源部１０２のインレット３０８から制御本体部１０４内部を経由して本装置の後方（背面）へ続くものである。
【００４７】
電源コード３１１が制御本体部１０４内部を介するときに画像処理基板３０３との間に金属板３０４が設置されているため電源コード３１１から発生するノイズを遮蔽することができ、画像処理基板３０３などの制御本体部１０４にある基板をノイズから守ることができる。
【００４８】
接続コネクタ３１２は、基板郡３０６の電源基板と画像処理基板３０３とを一点で接続するコネクタであり、例えば、「Boad to Boad」や「フローティングコネクタ」などを用いることにより接続することができる。フローティングコネクタを用いることにより、電源基板と画像処理基板３０３との実装時におけるズレを吸収することができるようになる。
【００４９】
インレットコード３１３は、電源スイッチ３０７とインレット３０８とを接続するコードである。
【００５０】
このような構成にすると、電源コード３１１から発生するノイズを金属板３０４により遮断することができるため基板郡３０６における誤動作を抑制することができ、さらには制御本体部１０４と電源部１０２を一点で接続することにより取り付け取り外しが容易に行うことができ、組立性、メンテナンス性が向上し、生産性が高まるという効果がある。
【００５１】
図４は、この発明に係わる画像読取装置の電源コード等を右側に配置して真上から見た場合の構成図である。
【００５２】
図４には、図２に示した部品構造のうち基板郡３０６のうち電源部１０２の電源基板を上下左右逆さまに配置した場合（図５に示すような配置）にインタフェースの位置が左右逆に設けられるということを利用してＵ／Ｉ部１０１の電源スイッチ１０５を図１に示す左側（LEFT）から右側（RIGHT）に配置するということを可能としている。
【００５３】
これにより電源スイッチ３０７、インレット３０８、電源コネクタコード３０９、アースコネクタコード３１０、電源コード３１１が左右反転して配置されることになり、電源スイッチ３０７をＵ／Ｉ部１０１の所望の位置に配置できるようになる。
【００５４】
図５は、この発明に係わる画像読取装置の電源基板を電源部１０２内で上下左右逆さまに配置した場合の外部インタフェースの位置を示す図である。
【００５５】
図５において、電源基板５０１の上部に外部インタフェース５０２が取り付けられているイメージＡと、電源基板５０１に下に外部インタフェース５０２が取り付けられているイメージＢが示されており、これら２つのイメージＡ，Ｂは上下左右逆さまに反転した関係を有するイメージである。
【００５６】
これにより、外部インタフェースを左右逆さま反転して配置することができるようになるため、Ｕ／Ｉ部１０１の所望の位置に電源スイッチ１０５を配置することができ、電源コネクタコード３０９およびインレットコード３１３を左右に引き回す必要がなくなる。
【００５７】
図６は、この発明に係わる画像読取装置のＵ／Ｉユニット３０２を真横から見た場合の構成図である。
【００５８】
図６には、図１に示すＵ／Ｉ部１０１、電源部１０２の内部構造を示しており、さらに電源部１０２とＡＤＦ／制御本体５１５との接続を表している。
【００５９】
Ｕ／Ｉ部１０１と電源部１０２の境界には金属板（板金）６０１で仕切られており、Ｕ／Ｉ部１０１には、電源スイッチ１０５、ユーザの操作ボタン又は表示装置（ＬＣＤ）６０２、操作ボタン・表示装置の制御基板６０３が示されている。
【００６０】
また電源部１０２には、電源基板６０４、電源基板の部品郡６０５、電源コネクタ６０６、インレット６０７、電源ヒートシンク６０８が示されている。
【００６１】
操作ボタン・表示装置の制御基板６０３と電源基板６０４を接続する基板コード６１０、電源基板６０４と金属板（板金）６０１を接続するアースコネクタコード６１１、電源スイッチ１０５とインレット６０７を接続する電源コード６１２、電源基板に電源スイッチ１０５が押下されたことを伝える電源コネクタコード６１３で各基板同士、ボタンが接続されている。
【００６２】
電源基板６０４は、基板を下向きに設置し、電源基板の部品郡６０５が下を向いた状態になっている。
【００６３】
電源基板の部品郡６０５は、電源を供給するためにコンデンサ、トランスやトランジスタなどの部品から構成されている。
【００６４】
電源ヒートシンク６０８は、電源部１０２と制御本体部１０４との境目に設置し、ヒートシンクの熱を熱容量の大きい制御本体部１０４に逃がすことでヒートシンクの温度上昇を低く抑えることができ、結果的に電源部１０２全体の温度を下げることができるようになる。
【００６５】
さらに、電源ヒートシンク６０８と制御本体部１０４の制御基板コネクタ６１６をフローティングコネクタ６０９により接続している。
【００６６】
図７は、この発明に係わる画像読取装置のＡＤＦ部１０３と制御本体部１０４を真横から見た場合の構成図である。
【００６７】
図７には、図１に示すＡＤＦ部１０３と制御本体部１０４の内部構造を示しており、さらに電源処理基板７０７と電源ヒートシンク６０８との接続を示している。
【００６８】
ＡＤＦ部１０３には、印刷された文書を読み取るための読取板７０１、紙送り制御基板７０２、紙送りモータ７０３が示されており、制御本体部１０４には、光学読取ユニット７０４、光学読取制御基板７０５、光学読取モータ７０６、画像処理基板７０７、画像処理基板部品郡７０８、光学読取コード７０９、紙送り制御コード７１０が示されている。
【００６９】
紙送り制御基板７０２は、紙送り制御モータ７０３によって紙送りが行われる。
【００７０】
光学読取コード７０９は、光学読取ユニット７０４と画像処理基板７０７とを接続しており、紙送り制御コード７１０は、紙送り制御基板７０２と電源処理基板７０７を接続している。
【００７１】
さらに、電源ヒートシンク６０８と制御本体１０４の制御基板コネクタ６１６とをフローティングコネクタ６０９により接続している。
【００７２】
図８は、この発明に係わる画像読取装置の電源部１０２と制御本体部１０４との接続を一点のフローティングコネクタ６０９により接続されている状態を示す図である。
【００７３】
図８には、図６で示した電源部１０２と図７で示した制御本体部１０４との接続を電源部１０２に設けられた電源ヒートシンク６０８と制御本体部１０４の制御コネクタ６１６とをフローティングコネクタ６０９で接続している。
【００７４】
また、電源ヒートシンク６０８を制御本体部１０４にビス（フローティングコネクタ６０９）で密着固定する。
【００７５】
これにより図６に示すように電源ヒートシンク６０８の熱を熱容量の多い制御本体部１０４に逃がすことができ、また、一箇所のみの接続を行っているため組立性やメンテナンス性、拡張性が向上する。
【００７６】
以上に示す構造にすることによって、本画像読取装置では、Ｕ／Ｉ部１０１の下に存在するデッドスペースに電源を配置することができる。さらに電源コードの引き回しが容易になり、電源コードからのノイズを防ぐことができ、電源からのノイズもＵ／Ｉ部１０１が受けにくくできる。
【００７７】
これによって、装置自体を小型化できるばかりでなく、電源スイッチを装置の背面に配置するのではなく、Ｕ／Ｉ部１０１に配置することができるようになり操作性が向上し、ノイズを遮断することにより装置の誤動作やトラブルを最小限に抑制できる。さらに、電源ヒートシンク熱を熱容量の大きい制御本体部１０４に逃がすことにより温度上昇を低く抑えることが可能になる。
【００７８】
従って、本発明を適用することにより、装置の小型化と同時に機能性の向上が図れるだけでなく、電源の温度上昇を低く抑えられるので結果として装置の長寿命化・高信頼性を実現することができるという効果を期待できる。
【００７９】
なお、本発明は、上記し、且つ図面に示す実施例に限定することなく、その要旨を変更しない範囲内で適宜変形して実施できるものである。
【００８０】
例えば、上記実施例では、電源基板を反転して（電源基板の部品郡を下向き）配置することにより電源コネクタの位置を左右逆に設置して、電源コードを左右いずれかに引き回すことを可能としているが、電源コードを左右いずれかに引き回すこと以外にＵＳＢ（Universal Serial Bus：周辺機器のシリアル接続）ボードを逆さに配置してＵＳＢインタフェースを左右いずれにも配置できるような場合においても有効である。
【００８１】
これによりＵＳＢコードと電源コードが制御本体部の左右反対側に配置でき、ＵＳＢコードは電源コードからのノイズを受けにくく、かつ各々コードの引き回しを容易に行うことができる。
【産業上の利用可能性】
【００８２】
本発明は、文書の内容を自動的に読み取る画像読取装置に適用可能であり、特に、電源の配置位置をユーザインタフェース下部のデッドスペースに配置することにより電源スイッチをユーザインタフェースの前面に配置できるようになり、またユーザインタフェースと電源本体をユニット化することで装置の構造自体が簡単になる。さらに電源コードと装置基板との間に金属板（板金）を配置することによりノイズを遮蔽することができるので誤動作を防止するのに有用である。
【図面の簡単な説明】
【００８３】
【図１】この発明に係わる画像読取装置１００の外観を示す図。
【図２】この発明に係わる画像読取装置全体を真横から見た場合の構成図。
【図３】この発明に係わる画像読取装置の電源コード等を左側に配置して真上から見た場合の構成図。
【図４】この発明に係わる画像読取装置の電源コード等を右側に配置して真上から見た場合の構成図。
【図５】この発明に係わる画像読取装置の電源基板を電源部１０２内で上下左右逆さまに配置した場合の外部インタフェースの位置を示す図。
【図６】この発明に係わる画像読取装置のＵ／Ｉ部と電源部を横から見た場合の配置を示す図。
【図７】この発明に係わる画像読取装置のＡＤＦ部と制御本体部を横から見た場合の配置を示す図。
【図８】この発明に係わる画像読取装置の電源部と制御本体部との接続を一点のフローティングコネクタにより接続されている状態を示す図。
【符号の説明】
【００８４】
１０１      Ｕ／Ｉ部（ユーザインタフェース部）
１０２      電源部
１０３      ＡＤＦ部
１０４      制御本体部
１０５      電源スイッチ
２０１      操作ボタン・表示装置の制御基板
２０２      電源基板
２０３      電源ヒートシンク
２０４      紙送り制御基板
２０５      光学読取ユニット
２０６      光学読取制御基板
２０７      画像処理基板
２０８      電源Ｕ／Ｉ遮蔽板金
２０９      制御基盤コネクタ
２１０      電源コネクタ
３０１      制御ユニット
３０２      Ｕ／Ｉユニット
３０３      画像処理基板
３０４      金属板（板金）
３０５      画像処理インタフェース
３０６      基板郡
３０７      電源スイッチ
３０８      インレット
３０９      電源コネクタコード
３１０      アースコネクタコード
３１１      電源コード
３１２      フローティングコネクタ
３１３      インレットコード
【図１】
2006013925.tif 000003
【図２】
2006013925.tif 000004
【図３】
2006013925.tif 000005
【図４】
2006013925.tif 000006
【図５】
2006013925.tif 000007
【図６】
2006013925.tif 000008
【図７】
2006013925.tif 000009
【図８】
2006013925.tif 000010